(57)【要約】【課題】デジタル変調信号とアナログ変調信号の何れの信号をも受信可能な受信機において、デジタル変調信号かアナログ変調信号のいずれの変調信号であるかが未知の信号であっても、ミュート解除したときに適した受信モードでミュート解除する受信機能を備えた受信機を提供すること。【解決手段】本発明の受信機は、デジタル受信モードとアナログ受信モードを備えた受信機において、ミュートを解除するためのミュート解除信号を出力し得るミュート解除スイッチ１０と、ミュート手段８によってミュートがかかっている状態のときにミュート解除信号が入力されたとき、デジタル受信モードで復調可能であるか否かをチェックして、デジタル受信モードで復調可能である場合には、モード切替手段７を制御してデジタル受信モードに切り替えてミュート解除し、デジタル受信モードで復調可能でない場合にはアナログ受信モードに切り替えてミュート解除する制御手段ＣＰＵとを備えた。【選択図】            図１
2005026781.tif 000002
【特許請求の範囲】
【請求項１】
同一の周波数をデジタル受信モードもしくはアナログ受信モードの双方の受信モードで受信する機能を備えるとともに、受信モードをデジタル受信モードもしくはアナログ受信モードの何れかに切り替えるモード切替手段と、音声信号をミュートもしくはミュート解除するミュート手段とを備えた受信機において、
ミュート解除信号を出力し得るミュート解除スイッチと、
前記ミュート手段によってミュートがかかっている状態のときに前記ミュート解除信号が入力されたとき、デジタル受信モードで復調可能であるか否かをチェックして、デジタル受信モードで復調可能である場合には、前記モード切替手段を制御してデジタル受信モードに切り替えるとともに、前記ミュート手段を制御してミュート解除し、デジタル受信モードで復調可能でない場合には、前記モード切替手段を制御してアナログ受信モードに切り替えるとともに、前記ミュート手段を制御してミュート解除する制御手段と
を備えたことを特徴とする受信機。
【請求項２】
同一の周波数をデジタル受信モードもしくはアナログ受信モードの双方の受信モードで受信する機能を備えるとともに、受信モードをデジタル受信モードもしくはアナログ受信モードの何れかに切り替えるモード切替手段と、音声信号をミュートもしくはミュート解除するミュート手段とを備えた受信機において、
ミュート解除するときの受信モードを、デジタル受信モードもしくはアナログ受信モードの何れかに予め設定する設定手段と、
ミュート解除信号を出力し得るミュート解除スイッチと、
前記ミュート手段によってミュートがかかっている状態のときに前記ミュート解除信号が入力されたとき、前記設定手段にて設定された受信モードに切り替えるとともに、前記ミュート手段を制御してミュート解除する制御手段と
を備えたことを特徴とする受信機。
【請求項３】
同一の周波数をデジタル受信モードもしくはアナログ受信モードの双方の受信モードで受信する機能を備えるとともに、受信モードをデジタル受信モードもしくはアナログ受信モードの何れかに切り替えるモード切替手段と、音声信号をミュートもしくはミュート解除するミュート手段とを備えた受信機において、
ミュート解除信号を出力し得るミュート解除スイッチと、
前記ミュート手段によってミュートがかかっている状態のときに前記ミュート解除信号が入力されたとき、デジタル受信モードで受信中の場合にはアナログ受信モードに切り替えるとともに、前記ミュート手段を制御してミュート解除し、アナログ受信モードで受信中の場合にはデジタル受信モードに切り替えるとともに、前記ミュート手段を制御してミュート解除する制御手段と
を備えたことを特徴とする受信機。
【発明の詳細な説明】
【０００１】
【発明の属する技術分野】
本発明は、デジタル変調信号とアナログ変調信号の何れの信号をも受信可能な受信機に関するものである。
【０００２】
【従来の技術】
近年においては、デジタル変調信号を受信して復調するデジタル受信モードと、アナログ変調信号を受信して復調するアナログ受信モードの、２つの受信モードを備えた受信機が提案されている。
これらの受信機においては、目的信号を受信していないときには、例え何らかの信号を受信している状態であっても音声信号として出力しない機能、いわゆる音声ミュート機能を備えているものが多い。このような音声ミュート機能は、例えば、デジタル受信モードで、正しく復号なされていない状態、もしくはコードスケルチやトーンスケルチが掛けられている状態などで作動する。
【０００３】
このような音声ミュート機能が作動している場合には、音声信号がミュートされているので、実際に何らかの信号を受信しているのか否かが不明である。そこで、一時的にそのチャンネルの受信状態を確認するためにミュートを解除する操作をすることがある。しかし、デジタル受信モードにおいてミュートを解除すると、デジタル受信モードのままミュートが解除されるので、例えアナログ変調信号を受信していたとしても受信モードが異なるために正しく復調されない。
同様に、アナログ受信モードにおいてミュートを解除すると、アナログ受信モードのままミュートが解除されるので、例えデジタル変調信号を受信していたとしても受信モードが異なるために正しく復調されない。
【０００４】
以上のように、受信信号と受信モードとが適合していない場合には、ミュートを解除する操作をしても正確には復調できないので、手動操作で受信モードを切り換える必要があった。
このような問題を解決する技術として、予め受信チャンネル毎に、デジタル受信モードで受信すべきチャンネルであるか、アナログ受信モードで受信すべきチャンネルであるかの区別を登録しておき、チャンネルを切り換える度に、そのチャンネルに登録されている受信モードで受信するよう制御することが提案されている。（例えば、特許文献１参照）
【０００５】
【特許文献１】
特開平１０−２１０３８７号公報
【０００６】
【発明が解決しようとする課題】
特許文献１に記載された受信機は、確かに、放送電波のように、予めアナログ変調された電波かデジタル変調された電波かが判明しているような条件では有効であるが、例えばアマチュア無線通信のように、同一周波数帯域内に予めデジタル変調された電波かアナログ変調された電波かが判明しない両方の電波が混在しているような条件では有効ではなかった。
即ち、特許文献１に記載された受信機は、受信チャンネル毎にアナログ変調信号であるかデジタル変調信号であるかを予め設定しておく必要があるので、信号の変調方式が既知の場合には問題ないが、変調方式が未知の信号の場合には、ミュート解除したときに、受信した信号の変調方式と受信モードとが一致しない場合があり、その場合には復調できないという問題があった。
【０００７】
そこで、本発明は、デジタル変調信号かアナログ変調信号のいずれの変調信号であるかが未知の信号であっても、ミュート解除したときに適合した受信モードでミュート解除する受信機能を備えた無線通信機の提供を目的としてなされたものである。
【０００８】
【課題を解決するための手段】
本発明にかかる受信機においては、
同一の周波数をデジタル受信モードもしくはアナログ受信モードの双方の受信モードを備えるとともに、受信モードをデジタル受信モードもしくはアナログ受信モードの何れかに切り替えるモード切替手段と、音声信号をミュートもしくはミュート解除するミュート手段とを備えた受信機において、
ミュート解除信号を出力し得るミュート解除スイッチと、
前記ミュート手段によってミュートがかかっている状態のときに前記ミュート解除信号が入力されたとき、デジタル受信モードで復調可能であるか否かをチェックして、デジタル受信モードで復調可能である場合には、前記モード切替手段を制御してデジタル受信モードに切り替えるとともに、前記ミュート手段を制御してミュート解除し、デジタル受信モードで復調可能でない場合には、前記モード切替手段を制御してアナログ受信モードに切り替えるとともに、前記ミュート手段を制御してミュート解除する制御手段と
を備えるという手段を講じた。
【０００９】
請求項２の発明では、
同一の周波数をデジタル受信モードもしくはアナログ受信モードの双方の受信モードで受信する機能を備えるとともに、受信モードをデジタル受信モードもしくはアナログ受信モードの何れかに切り替えるモード切替手段と、音声信号をミュートもしくはミュート解除するミュート手段とを備えた受信機において、
ミュート解除するときの受信モードを、デジタル受信モードもしくはアナログ受信モードの何れかに予め設定する設定手段と、
ミュート解除信号を出力し得るミュート解除スイッチと、
前記ミュート手段によってミュートがかかっている状態のときに前記ミュート解除信号が入力されたとき、前記設定手段にて設定された受信モードに切り替えるとともに、前記ミュート手段を制御してミュート解除する制御手段と
を備えるという手段を講じた。
【００１０】
請求項３の発明では、
同一の周波数をデジタル受信モードもしくはアナログ受信モードの双方の受信モードで受信する機能を備えるとともに、受信モードをデジタル受信モードもしくはアナログ受信モードの何れかに切り替えるモード切替手段と、音声信号をミュートもしくはミュート解除するミュート手段とを備えた受信機において、
ミュート解除信号を出力し得るミュート解除スイッチと、
前記ミュート手段によってミュートがかかっている状態のときに前記ミュート解除信号が入力されたとき、デジタル受信モードで受信中の場合にはアナログ受信モードに切り替えるとともに、前記ミュート手段を制御してミュート解除し、アナログ受信モードで受信中の場合にはデジタル受信モードに切り替えるとともに、前記ミュート手段を制御してミュート解除する制御手段と
を備えるという手段を講じた。
【００１１】
以上の請求項１の構成によれば、ミュート手段によってミュートがかかっている状態のときにミュート解除信号が入力されると、デジタル受信モードで復調可能であるか否かをチェックして、デジタル受信モードで復調可能である場合には、前記モード切替手段を制御してデジタル受信モードに切り替えるとともに、前記ミュート手段を制御してミュート解除し、デジタル受信モードで復調可能でない場合には、前記モード切替手段を制御してアナログ受信モードに切り替えるとともに、前記ミュート手段を制御してミュート解除するので復調できる。
【００１２】
以上の請求項２の構成によれば、ミュート手段によってミュートがかかっている状態のときにミュート解除信号が入力されると、既定の受信モードに切り替えるとともに、前記ミュート手段を制御してミュート解除するので、既定の受信モードが適合すると復調できる。
【００１３】
以上の請求項３の構成によれば、ミュート手段によってミュートがかかっている状態のときにミュート解除信号が入力されると、現在の受信モードとは逆の受信モードに切り替えるとともに、前記ミュート手段を制御してミュート解除するので、現在の受信モードでは受信モードが適合しなくて復調できない場合でも、逆の受信モードに切り替えることによって受信モードが適合するようになり、復調できるのである。
【００１４】
【発明の実施の形態】
以下に、本発明にかかる受信機を、その実施の形態を示した図面に基づいて詳細に説明する。
【００１５】
１は受信機であり、デジタル受信モードとアナログ受信モードとを備えている。２は受信回路であり、アンテナ、同調回路、周波数変換回路、及び中間周波回路等を備え、指定されたチャンネルを選択して、何らかの有効な信号を受信した場合には、アナログ／デジタルＩＦ信号２１を後述するアナログ復調器３とデジタル復調器４へ出力するとともに、受信信号検出器２２から後述するマイクロコンピュータＣＰＵへ受信検出信号２３を出力する。
３はアナログ復調器であり、前記受信回路２から入力されるアナログ／デジタルＩＦ信号２１がアナログ変調信号の場合には所定の方式でアナログ信号に復調してアナログ由来の音声信号３１として出力する。
４はデジタル復調器であり、前記受信回路２から入力されるアナログ／デジタルＩＦ信号２１がデジタル変調信号の場合には所定の方式でデジタル復調してデジタル復調信号４１として出力する。
【００１６】
５は音声デコーダであり、後述するマイクロコンピュータＣＰＵから入力されるデジタル信号５１を所定の方式でデコードしてデジタル音声信号５２として出力する。
６はＤ／Ａ変換器であり、前記デジタル音声信号５２をアナログ信号に変換してデジタル由来の音声信号６１として出力する。
７は音声切替器であり、後述するマイクロコンピュータＣＰＵから入力される音声切替信号７１に従って、前記アナログ復調器３から入力されるアナログ由来の音声信号３１もしくは前記Ｄ／Ａ変換器６から入力されるデジタル由来の音声信号６１の何れかを選択・切替えして選択された音声信号７２として出力する。
８は音声ミュート器であり、後述するマイクロコンピュータＣＰＵから入力される音声ミュートオン信号８１Ａもしくは音声ミュートオフ信号８１Ｂに従って、後述する音声増幅器９へ出力する音声信号８２をミュートして、もしくはミュートせずに出力する。
９は音声増幅器であり、前記音声ミュート器８から入力される音声信号８２を増幅してスピーカ（図示せず。）等から音響信号として出力する。
【００１７】
マイクロコンピュータＣＰＵは、前記受信信号検出器２２からは受信検出信号２３が入力され、デジタル復調器４からはデジタル復調信号４１が入力され、音声切替器７へは音声切替信号７１を出力し、音声デコーダ５へはデジタル信号５１を出力し、音声ミュート器８へは音声ミュートオン信号８１Ａもしくは音声ミュートオフ信号８１Ｂを出力するように構成されている。
１０はミュート解除スイッチであり、ミュートがかかっている状態で押す操作をするとミュートを解除するためのミュート解除信号１０ＡをマイクロコンピュータＣＰＵへ出力し、離す操作をすると前記ミュート解除信号１０Ａを出力しなくなる。
１１は、後述する既定モード切替機能においてミュート解除するときの既定の受信モードを、デジタル受信モードもしくはアナログ受信モードの何れかに予め設定する設定手段である。そして、後述する既定モード切替機能においては、前記設定手段１１には設定された受信モードが何れであるかが記憶保持されている。
【００１８】
前記マイクロコンピュータＣＰＵを中心とした動作を、図１とともに図２のフローチャート（プログラムＡ）を参照しながら以下に説明する。
まず、デジタル受信モードにおいて正しく信号が復調されていない状態もしくはコードスケルチやトーンスケルチがかけられている状態等で、マイクロコンピュータＣＰＵの判断処理に基づいて音声信号がミュートされているとき、ステップＳ１において、使用者がミュート解除スイッチ１０を押す操作をすると、ミュート解除信号１０ＡがマイクロコンピュータＣＰＵへ入力され、ステップＳ２へ進む。
ステップＳ２においては、マイクロコンピュータＣＰＵは、デジタル復調信号４１がデコード可能で有効なデジタル復調信号であるか否かをチェックし、有効なデジタル復調信号である場合には、アナログ／デジタルＩＦ信号２１がデジタル復調可能な信号であると判断し、ステップＳ３へ進む。有効なデジタル復調信号でない場合には、アナログ／デジタルＩＦ信号２１がデジタル復調可能な信号ではないと判断し、ステップＳ４へ進む。
なお、デジタル復調信号４１がデコード可能で有効なデジタル復調信号であるか否かをチェックする手法としては、マイクロコンピュータＣＰＵによってデジタル復調信号４１を吟味し、デジタル復調信号として有効であるか否かを判断する。また、デジタル復調器から出力されるエラー信号やロック信号に基づいて判断することも可能である。例えば、エラー信号が出力された場合や、所定の時間内にロック信号が出力されない場合には、デジタル復調信号４１が復調可能で有効なデジタル復調信号ではないと判断することができる。
【００１９】
ステップＳ３においては、マイクロコンピュータＣＰＵは、デジタル由来の音声信号６１を選択する音声切替信号７１を音声切替器７へ出力するとともに、音声ミュートオフ信号８１Ｂを音声ミュート器８へ出力し、音声信号８２のミュートを解除して、ステップＳ５へ進む。
この状態では、マイクロコンピュータＣＰＵは、デジタル復調信号４１をデジタル信号５１として音声デコーダ５へ出力する。音声デコーダ５から出力されるデジタル音声信号５２は、Ｄ／Ａ変換器６でデジタル由来の音声信号６１に変換されて音声切替器７へ入力される。音声切替器７では、このデジタル由来の音声信号６１が選択されて、選択された音声信号７２として音声ミュート器８へ出力される。このとき、音声ミュート器８には音声ミュートオフ信号８１Ｂが入力されているので、前記選択された音声信号７２はミュートされずに音声信号８２として音声増幅器９へ出力され、スピーカ等から出力される。
【００２０】
ステップＳ４においては、マイクロコンピュータＣＰＵは、アナログ由来の音声信号３１を選択する音声切替信号７１を音声切替器７へ出力するとともに、音声ミュートオフ信号８１Ｂを音声ミュート器８へ出力し、音声信号８２のミュートを解除して、ステップＳ５へ進む。
この状態では、音声切替器７では、アナログ復調器３から出力されるアナログ由来の音声信号３１が選択されて、選択された音声信号７２として音声ミュート器８へ出力される。このとき、音声ミュート器８には音声ミュートオフ信号８１Ｂが入力されているので、前記選択された音声信号７２はミュートされずに音声信号８２として音声増幅器９へ出力され、スピーカ等から出力される。
このようにして出力される音声信号によって、受信している信号を適正なモードで復調してその内容を確認することができるのである。
【００２１】
その後、ステップＳ５において、押していたミュート解除スイッチ１０を離す操作をすると、マイクロコンピュータＣＰＵへはミュート解除信号１０Ａが入力されなくなるので、ステップＳ６においては、解除されていたミュートが有効になり、マイクロコンピュータＣＰＵの判断処理により状況に応じては音声信号がミュートされる。
【００２２】
このようにして、ミュート解除スイッチ１０を押す操作をしたときには、受信信号がデジタル復調可能な信号であるか否かを自動的にチェックして、デジタル受信モードもしくはアナログ受信モードの何れか適合するモードに自動的に切り替えてミュートを解除するので、手動操作でデジタル受信モードもしくはアナログ受信モードの何れかに切り替えるという操作は不要となる。
以上のように自動的に適合する受信モードに切り替えてミュート解除する機能を自動モード切替機能と称する。
【００２３】
なお、以上の自動切替機能に加えて、図３のフローチャート（プログラムＢ）に示したように、ミュート解除スイッチ１０が押されると（ステップＳ３１）、設定手段１１に記憶保持されている既定の受信モードを読み取って、その受信モードに切り替えてミュートを解除（ステップＳ３２）してもよい。このような機能を既定モード切替機能と称し、前記自動モード切替機能もしくはこの既定モード切替機能の何れかの機能を選択できるようにしてもよい。この既定モード切替機能では、デジタル受信モードで受信中にミュート解除スイッチ１０を押した場合には、設定手段１１にアナログ受信モードが既定の受信モードとして記憶保持されていると、アナログ受信モードへ切り替えてミュート解除し、設定手段１１にデジタル受信モードが既定の受信モードとして記憶保持されていると、デジタル受信モードへ切り替えてミュート解除する。
【００２４】
また、図４のフローチャート（プログラムＣ）に示したように、ミュート解除スイッチ１０が押されると（ステップＳ４１）、そのときの受信モードとは逆の受信モードに切り替えてミュートを解除（ステップＳ４２）してもよい。このような機能を逆モード切替機能と称し、前記自動モード切替機能もしくはこの逆モード切替機能の何れかの機能を選択できるようにしてもよい。この逆モード切替機能では、デジタル受信モードで受信中にミュート解除スイッチ１０を押した場合にはアナログ受信モードへ切り替え、アナログ受信モードで受信中にミュート解除スイッチ１０を押した場合にはデジタル受信モードへ切り替えてミュート解除する。
【００２５】
そして、図５のフローチャート（プログラムＤ）に示したように、予め自動モード切替機能、既定モード切替機能、逆モード切替機能の何れかの機能を選択しておくことによって、選択された機能に応じて自動モード切替機能が有効になり（ステップＳ５１、５４）、または既定モード切替機能が有効になり（ステップＳ５２、５５）、または逆モード切替機能が有効になる（ステップＳ５３、５５）ようにしてもよい。
前記マイクロコンピュータＣＰＵには、前記プログラムＡ、Ｂ、Ｃの少なくとも何れかが実行可能な状態で記憶保持されている。または、前記プログラムＡ、Ｂ、Ｃ、Ｄの全てが実行可能な状態で記憶保持されている。
なお、以上においては、ミュート解除スイッチ１０を押す操作をすることによってミュート解除信号１０Ａが出力されるように構成した場合について説明したが、ミュート解除スイッチ１０は切替えスイッチや、トグル動作をするスイッチを用いてもよいことは当然である。
【００２６】
前記音声切替器７は特許請求の範囲に記載されたモード切替手段に相当し、前記音声ミュート器８は特許請求の範囲に記載されたミュート手段に相当し、前記マイクロコンピュータＣＰＵは特許請求の範囲に記載された制御手段に相当する構成である。
【００２７】
【発明の効果】
本発明の請求項１の受信機によれば、ミュートがかかっている状態のときにミュート解除スイッチを操作してミュート解除をするとき、適合した受信モードに切り替えてからミュート解除するので、従来のように受信モードが適合していない場合に手動操作によって受信モードを切り替える作業が不要となり、優れた操作性の得られる受信機を提供することができる。
【００２８】
本発明の請求項２の受信機によれば、ミュートがかかっている状態のときにミュート解除スイッチを操作してミュート解除をするとき、既定の受信モードに切り替えてからミュート解除するので、従来のように受信モードが適合していない場合に手動操作によって受信モードを切り替える作業が減り、優れた操作性の得られる受信機を提供することができる。
【００２９】
本発明の請求項３の受信機によれば、ミュートがかかっている状態のときにミュート解除スイッチを操作してミュート解除をするとき、現在の受信モードと逆（反対）の受信モードに切り替えてからミュート解除するので、従来のように受信モードが適合していない場合に手動操作によって受信モードを切り替える作業が減り、優れた操作性の得られる受信機を提供することができる。
【図面の簡単な説明】
【図１】本発明にかかる受信機の実施の形態のブロック図である。
【図２】前記受信機の動作の要部（プログラムＡ）を説明するフローチャートである。
【図３】前記受信機の動作の別のパターンの要部（プログラムＢ）を説明するフローチャートである。
【図４】前記受信機の動作のさらに別のパターンの要部（プログラムＣ）を説明するフローチャートである。
【図５】前記受信機の動作のさらに別のパターンの要部（プログラムＤ）を説明するフローチャートである。
【符号の説明】
１  受信機
７  音声切替器、モード切替手段
８  音声ミュート器、ミュート手段
１０  ミュート解除スイッチ
１１  設定手段
ＣＰＵ  マイクロコンピュータ、制御手段
【図１】
2005026781.tif 000003
【図２】
2005026781.tif 000004
【図３】
2005026781.tif 000005
【図４】
2005026781.tif 000006
【図５】
2005026781.tif 000007